(57)【要約】【課題】本発明は、ケースにキャッププレートを取り付ける二次電池を提供する。【解決手段】前記二次電池は、電極アセンブリと、電極アセンブリを収容するハウジングとを備える。前記ハウジングは、開口を有し、前記開口によって対向する第１および第２ケース側部を露出させ、前記開口を通して前記電極アセンブリを収容するように構成されたケースと、前記開口で前記ケースを密封し、前記ケース側部に対応する対向する第１および第２キャッププレート側部を含み、前記対向する第１および第２ケース側部は、それぞれ第１接触領域および第２接触領域で前記対向する第１および第２キャッププレート側部に対向して接触するキャッププレートと、を有し、前記第１接触領域および第２接触領域は、互いに非対称となる。【選択図】図４
2015018810.tif 000002
【特許請求の範囲】
【請求項１】
電極アセンブリと、
電極アセンブリを収容するハウジングとを備え、
前記ハウジングは、
開口を有し、前記開口によって対向する第１および第２ケース側部を露出させ、前記開口を通して前記電極アセンブリを収容するように構成されたケースと、
前記開口で前記ケースを密封し、前記ケース側部に対応する対向する第１および第２キャッププレート側部を含み、前記対向する第１および第２ケース側部は、それぞれ第１接触領域および第２接触領域で前記対向する第１および第２キャッププレート側部に対向して接触するキャッププレートと、を有し、
前記第１接触領域および前記第２接触領域は、互いに非対称であることを特徴とする、二次電池。
【請求項２】
前記ケースは、直方体であり、前記キャッププレートは、四辺形であり、
前記対向する第１および第２ケース側部ならびに前記対向する第１および第２キャッププレート側部は、いずれも短辺であることを特徴とする、請求項１に記載の二次電池。
【請求項３】
前記第１および第２接触領域は、前記対向する第１および第２キャッププレート側部における第１および第２形状を有することを特徴とする、請求項１に記載の二次電池。
【請求項４】
前記第１接触領域および第２接触領域は、前記対向する第１および第２ケース側部における第１および第２対応形状を有し、
前記対向する第１および第２ケース側部における前記第１および第２対応形状は、それぞれ前記対向する第１および第２キャッププレート側部における前記第１および第２形状と対をなすことを特徴とする、請求項３に記載の二次電池。
【請求項５】
前記第１接触領域の取り付けマージンは、前記第２接触領域の取り付けマージンよりも大きく形成されることを特徴とする、請求項１に記載の二次電池。
【請求項６】
前記第１接触領域は、第１傾斜部を有し、前記第２接触領域は、第２傾斜部を有することを特徴とする、請求項１に記載の二次電池。
【請求項７】
前記第１傾斜部は、前記第１ケース側部に位置し、
前記第２傾斜部は、前記第２ケース側部に位置することを特徴とする、請求項６に記載の二次電池。
【請求項８】
前記第１接触領域は、前記第１キャッププレート側部における第１対応傾斜部をさらに有し、前記第２接触領域は、前記第２キャッププレート側部における第２対応傾斜部をさらに有することを特徴とする、請求項７に記載の二次電池。
【請求項９】
前記キャッププレートで内側平面に対する傾斜角を測定する際、前記第１傾斜部の第１傾斜角は、前記第２傾斜部の第２傾斜角よりも小さいことを特徴とする、請求項７に記載の二次電池。
【請求項１０】
前記ケースは、前記キャッププレートから離れる方向に前記第１傾斜部から延在する第１平面部と、前記キャッププレートから離れる方向に前記第２傾斜部から延在する第２平面部とを有し、
前記第１および第２平面部は、前記キャッププレートが前記ケースに取り付けられたとき、前記キャッププレートの外面と実質的に同一平面上に位置することを特徴とする、請求項７に記載の二次電池。
【請求項１１】
前記第１平面部の第１幅は、前記第２平面部の第２幅よりも小さいことを特徴とする、請求項１０に記載の二次電池。
【請求項１２】
前記第１接触領域は、傾斜部を有し、前記第２接触領域は、階段部を有することを特徴とする、請求項７に記載の二次電池。
【請求項１３】
前記傾斜部は、前記第１ケース側部に位置し、前記階段部は、前記第２ケース側部に位置することを特徴とする、請求項１２に記載の二次電池。
【請求項１４】
前記第１接触領域は、前記第１キャッププレート側部における対応傾斜部を有し、前記第２接触領域は、前記第２キャッププレート側部における垂直部を有し、
前記対応傾斜部および前記垂直部は、前記傾斜部および前階段部と対をなすことを特徴とする、請求項１３に記載の二次電池。
【請求項１５】
前記第１接触領域は、第１突起部を有し、前記第２接触領域は、第２突起部を有することを特徴とする、請求項７に記載の二次電池。
【請求項１６】
前記第１および第２突起部は、前記ケースおよび前記キャッププレートのうちのいずれか一方に位置し、
前記第１および第２接触領域は、前記ケースおよび前記キャッププレートのうちのいずれか他方に位置する第１溝部および第２溝部をさらに有し、
前記第１および第２溝部は、前記第１および第２突起部と対をなすことを特徴とする、請求項１５に記載の二次電池。
【請求項１７】
前記第１および第２突起部は、前記ケースおよび前記キャッププレートのうちのいずれか一方に位置し、
前記第１および第２接触領域は、前記ケースおよび前記キャッププレートのうちのいずれか他方に第１傾斜部および第２傾斜部をさらに有し、
前記第１および第２傾斜部は、前記第１および第２突起部と対をなすことを特徴とする、請求項１５に記載の二次電池。
【請求項１８】
前記第１および第２突起部は、前記ケースおよび前記キャッププレートのうちのいずれか一方に位置し、
前記第１および第２接触領域は、前記ケースおよび前記キャッププレートのうちのいずれか他方に第１対応突起部および第２対応突起部をさらに有し、
前記第１および第２対応突起部は、前記第１および第２突起部と対をなすことを特徴とする、請求項１５に記載の二次電池。
【請求項１９】
前記第１突起部は、前記第２突起部よりも突出していることを特徴とする、請求項１５に記載の二次電池。
【請求項２０】
前記第１および第２接触領域は、前記ケースと前記キャッププレートを通るｚ軸方向の中心軸に沿って非対称であることを特徴とする、請求項１に記載の二次電池。
【発明の詳細な説明】
【技術分野】
【０００１】
本発明は、ケースにキャッププレートを取り付ける二次電池に関するものである。
【背景技術】
【０００２】
二次電池（rechargeable battery）は、一次電池とは異なり、充電および放電を繰り返し行う電池である。小容量の二次電池は、携帯電話やノートパソコンおよびビデオカメラのように携帯が可能な小型電子機器に用いられ、大容量の二次電池は、ハイブリッド自動車および電気自動車のモータ駆動用電源として用いられる。
【０００３】
例えば、二次電池は、充電および放電作用する電極アセンブリと、電極アセンブリおよび電解液を収容するケースと、ケースの開口に取り付けられるキャッププレートと、キャッププレートに設けられ、電極アセンブリに電気的に接続される電極端子とを含む。
【０００４】
ケースにキャッププレートを取り付ける際、ケースとキャッププレートとの合わせ作業のために、プレス加工でケースの開口となる位置に段差を形成する。そして、深絞り（deep drawing）でケースを成形する。
【０００５】
しかし、深絞りの技術的な限界によって、開口で段差の形状が不均一になる。したがって、キャッププレートは、ケースの開口段差に取り付けられにくく、開口で過挿入されることがある。
【発明の概要】
【発明が解決しようとする課題】
【０００６】
本発明は、ケースにキャッププレートを取り付ける際、ケースの開口でキャッププレートの取り付けを誘導し、キャッププレートの過挿入を防止する二次電池を提供する。
【課題を解決するための手段】
【０００７】
本発明の実施形態にかかる二次電池は、電極アセンブリと、電極アセンブリを収容するハウジングとを備える。前記ハウジングは、開口を有し、前記開口によって対向する第１および第２ケース側部を露出させ、前記開口を通して前記電極アセンブリを収容するように構成されたケースと、前記開口で前記ケースを密封し、前記ケース側部に対応する対向する第１および第２キャッププレート側部を含み、前記対向する第１および第２ケース側部は、それぞれ第１接触領域および第２接触領域で前記キャッププレート側部に対向して接触する対向する第１および第２キャッププレートと、を有し、前記第１接触領域および前記第２接触領域は、互いに非対称となる。
【０００８】
前記ケースは、直方体であり、前記キャッププレートは、四辺形であり、前記対向する第１および第２ケース側部ならびに前記対向する第１および第２キャッププレート側部は、いずれも短辺であってよい。
【０００９】
前記第１および第２接触領域は、前記対向する第１および第２キャッププレート側部における第１および第２形状を有することができる。
【００１０】
前記第１接触領域および第２接触領域は、前記対向する第１および第２ケース側部における第１および第２対応形状を有し、前記対向する第１および第２ケース側部における前記第１および第２対応形状は、それぞれ前記対向する第１および第２キャッププレート側部における前記第１および第２形状と対をなすことができる。
【００１１】
前記第１接触領域の取り付けマージンは、前記第２接触領域の取り付けマージンよりも大きく形成されてよい。
【００１２】
前記第１接触領域は、第１傾斜部を有し、前記第２接触領域は、第２傾斜部を有することができる。
【００１３】
前記第１傾斜部は、前記第１ケース側部に位置し、前記第２傾斜部は、前記第２ケース側部に位置することができる。
【００１４】
前記第１接触領域は、前記第１キャッププレート側部における第１対応傾斜部をさらに有し、前記第２接触領域は、前記第２キャッププレート側部における第２対応傾斜部をさらに有することができる。
【００１５】
前記キャッププレートで内側平面に対する傾斜角を測定する際、前記第１傾斜部の第１傾斜角は、前記第２傾斜部の第２傾斜角よりも小さく形成されてよい。
【００１６】
前記ケースは、前記キャッププレートから離れる方向に前記第１傾斜部から延在する第１平面部と、前記キャッププレートから離れる方向に前記第２傾斜部から延在する第２平面部とを有し、前記第１および第２平面部は、前記キャッププレートと前記ケースとが取り付けられたとき、前記キャッププレートの外面と実質的に同一平面上に位置することができる。
【００１７】
前記第１平面部の第１幅は、前記第２平面部の第２幅よりも小さく形成されてよい。
【００１８】
前記第１接触領域は、傾斜部を有し、前記第２接触領域は、階段部を有することができる。
【００１９】
前記傾斜部は、前記第１ケース側部に位置し、前記階段部は、前記第２ケース側部に位置することができる。
【００２０】
前記第１接触領域は、前記第１キャッププレート側部における対応傾斜部を有し、前記第２接触領域は、前記第２キャッププレート側部における垂直部を有し、前記対応傾斜部および前記垂直部は、前記傾斜部および前記階段部と対をなして形成されてよい。
【００２１】
前記第１接触領域は、第１突起部を有し、第２接触領域は、第２突起部を有することができる。
【００２２】
前記第１および第２突起部は、前記ケースおよび前記キャッププレートのうちのいずれか一方に位置し、前記第１および第２接触領域は、前記ケースおよび前記キャッププレートのうちのいずれか他方に位置する第１溝部および第２溝部をさらに有し、前記第１および第２溝部は、前記第１および第２突起部と対をなして形成されてよい。
【００２３】
前記第１および第２突起部は、前記ケースおよび前記キャッププレートのうちのいずれか一方に位置し、前記第１および第２接触領域は、前記ケースおよび前記キャッププレートのうちのいずれか他方に第１傾斜部および第２傾斜部をさらに有し、前記第１および第２傾斜部は、前記第１および第２突起部と対をなして形成されてよい。
【００２４】
前記第１および第２突起部は、前記ケースおよび前記キャッププレートのうちのいずれか一方に位置し、前記第１および第２接触領域は、前記ケースおよび前記キャッププレートのうちのいずれか他方に第１対応突起部および第２対応突起部をさらに有し、前記第１および第２対応突起部は、前記第１および第２突起部と対をなして形成されてよい。
【００２５】
前記第１突起部は、前記第２突起部よりも突出して形成されてよい。
【００２６】
前記第１および第２接触領域は、前記ケースと前記キャッププレートを通るｚ軸方向の中心軸に沿って非対称となってよい。
【発明の効果】
【００２７】
本発明の一実施形態によれば、ケースの開口またはキャッププレートに、非対称な段差部等を形成するため、ケースにキャッププレートを取り付ける際、ケースの開口でキャッププレートの取り付けを誘導し、開口にキャッププレートが過挿入されるのを防止する効果がある。
【図面の簡単な説明】
【００２８】
【図１】本発明の第１実施形態にかかる二次電池の斜視図である。
【図２】図１のＩＩ−ＩＩ線断面図である。
【図３】図１に示した二次電池におけるケースとキャッププレートの分解斜視図である。
【図４】図３のＩＶ−ＩＶ線断面図である。
【図５】本発明の第２実施形態にかかる二次電池の断面図である。
【図６】本発明の第３実施形態にかかる二次電池におけるケースとキャッププレートの分解斜視図である。
【図７】図６のＶＩＩ−ＶＩＩ線断面図である。
【図８】本発明の第４実施形態にかかる二次電池におけるケースとキャッププレートの分解斜視図である。
【図９】図８のＩＸ−ＩＸ線断面図である。
【図１０】本発明の第５実施形態にかかる二次電池におけるケースとキャッププレートの分解斜視図である。
【図１１】図１０のＸＩ−ＸＩ線断面図である。
【図１２】本発明の第６実施形態にかかる二次電池におけるケースとキャッププレートの分解斜視図である。
【図１３】図１２のＸＩＩＩ−ＸＩＩＩ線断面図である。
【発明を実施するための形態】
【００２９】
以下、添付した図面を参照して、本発明の実施形態について、本発明の属する技術分野における通常の知識を有する者が容易に実施できるように詳細に説明する。しかし、本発明は、様々な異なる形態で実現可能であり、ここで説明する実施形態に限定されない。図面において、本発明を明確に説明するために説明上不必要な部分を省略し、明細書全体にわたって同一または類似の構成要素については同一の参照符号を付した。
【００３０】
図１は、本発明の第１実施形態にかかる二次電池の斜視図であり、図２は、図１のＩＩ−ＩＩ線断面図である。図１および図２を参照すれば、第１実施形態にかかる二次電池１は、電流を充電および放電する電極アセンブリ１０と、電極アセンブリ１０および電解液を内蔵するケース１５と、ケース１５の開口に取り付けられるキャッププレート２０と、キャッププレート２０に設けられる電極端子２１、２２とを備える。
【００３１】
例えば、電極アセンブリ１０は、絶縁体であるセパレータ１３の両面に電極（例えば、負極１１と正極１２）を配置し、負極１１、セパレータ１３、および正極１２をゼリーロール状態に巻き取って形成される。
【００３２】
負正極１１、１２はそれぞれ、金属板の集電体に活物質を塗布したコーティング部１１ａ、１２ａと、活物質を塗布せず露出した集電体に形成される無地部１１ｂ、１２ｂとを含む。
【００３３】
負極１１の無地部１１ｂは、巻き取られる負極１１に沿って負極１１の一方の端部に形成される。正極１２の無地部１２ｂは、巻き取られる正極１２に沿って正極１２の一方の端部に形成される。そして、無地部１１ｂ、１２ｂは、電極アセンブリ１０の両端にそれぞれ配置される。
【００３４】
ケース１５は、電極アセンブリ１０を内部に収容する空間を定めるように、略直方体形状である。ケース１５の開口は、直方体の一側に形成され、外部から内部空間に電極アセンブリ１０を挿入できるようにする。
【００３５】
キャッププレート２０は、ケース１５の開口に設けられ、ケース１５を密閉する。例えば、ケース１５とキャッププレート２０は、アルミニウムで形成され、互いに溶接できる。即ち、電極アセンブリ１０をケース１５に挿入した後、キャッププレート２０は、ケース１５の開口に溶接できる。
【００３６】
また、キャッププレート２０は、１つ以上の開口を有し、例えば、端子ホールＨ１、Ｈ２およびベントホール２４を備える。電極端子２１、２２は、キャッププレート２０の端子ホールＨ１、Ｈ２にそれぞれ設けられ、電極アセンブリ１０に電気的に接続される。
【００３７】
即ち、電極端子２１、２２は、電極アセンブリ１０の負極１１および正極１２にそれぞれ電気的に接続される。したがって、電極アセンブリ１０は、電極端子２１、２２を通してケース１５の外部に引き出される。
【００３８】
電極端子２１、２２は、端子ホールＨ１、Ｈ２に対応してキャッププレート２０の外側に配置されるプレートターミナル２１ｃ、２２ｃと、電極アセンブリ１０に電気的に接続され、端子ホールＨ１、Ｈ２を貫通してプレートターミナル２１ｃ、２２ｃに結合させられるリベットターミナル２１ａ、２２ａとを含む。
【００３９】
プレートターミナル２１ｃ、２２ｃは、貫通ホールＨ３、Ｈ４を有する。リベットターミナル２１ａ、２２ａは、上端で端子ホールＨ１、Ｈ２を貫通して貫通ホールＨ３、Ｈ４に挿入される。電極端子２１、２２は、キャッププレート２０の内側でリベットターミナル２１ａ、２２ａに一体に広く形成されるフランジ２１ｂ、２２ｂをさらに含む。
【００４０】
負極１１に連結される第１電極端子２１側において、プレートターミナル２１ｃとキャッププレート２０との間に介在する外部絶縁部材３１は、プレートターミナル２１ｃとキャッププレート２０とを電気的に絶縁させる。即ち、キャッププレート２０は、電極アセンブリ１０および負極１１と絶縁された状態を維持する。
【００４１】
絶縁部材３１とプレートターミナル２１ｃとをリベットターミナル２１ａの上端に取り付けて、上端をリベッティングまたは溶接することにより、絶縁部材３１およびプレートターミナル２１ｃは、リベットターミナル２１ａの上端に結合させられる。プレートターミナル２１ｃは、絶縁部材３１を介在させた状態でキャッププレート２０の外側に設けられる。
【００４２】
正極１２に連結される第２電極端子２２側において、プレートターミナル２２ｃとキャッププレート２０との間に介在する導電性トッププレート４６は、プレートターミナル２２ｃとキャッププレート２０とを電気的に接続する。即ち、キャッププレート２０は、電極アセンブリ１０および正極１２に電気的に接続された状態を維持する。
【００４３】
トッププレート４６とプレートターミナル２２ｃとをリベットターミナル２２ａの上端に取り付けて、上端をリベッティングまたは溶接することにより、トッププレート４６とプレートターミナル２２ｃは、リベットターミナル２２ａの上端に結合させられる。プレートターミナル２２ｃは、トッププレート４６を介在させた状態でキャッププレート２０の外側に設けられる。
【００４４】
ガスケット３６、３７は、電極端子２１、２２のリベットターミナル２１ａ、２２ａとキャッププレート２０の端子ホールＨ１、Ｈ２の内面との間にそれぞれ設けられ、リベットターミナル２１ａ、２２ａとキャッププレート２０との間をシーリングして、これらを電気的に絶縁させる。
【００４５】
ガスケット３６、３７は、フランジ２１ｂ、２２ｂとキャッププレート２０の内面との間にさらに延設され、フランジ２１ｂ、２２ｂとキャッププレート２０との間をさらにシーリングして、これらを電気的に絶縁させる。即ち、ガスケット３６、３７は、キャッププレート２０に電極端子２１、２２を取り付けることにより、端子ホールＨ１、Ｈ２を通して電解液が漏れる（leak）のを防止する。
【００４６】
一方、リードタブ５１、５２は、電極端子２１、２２を電極アセンブリ１０の負正極１１、１２にそれぞれ電気的に接続する。即ち、リードタブ５１、５２をリベットターミナル２１ａ、２２ａの下端に結合して下端をコーキング（caulking）することにより、リードタブ５１、５２は、フランジ２１ｂ、２２ｂに支持されながら、リベットターミナル２１ａ、２２ａの下端に連結される。
【００４７】
絶縁部材６１、６２は、リードタブ５１、５２とキャッププレート２０との間にそれぞれ設けられ、リードタブ５１、５２とキャッププレート２０とを電気的に絶縁させる。また、絶縁部材６１、６２は、一側でキャッププレート２０に結合され、他の一側でリードタブ５１、５２とリベットターミナル２１ａ、２２ａおよびフランジ２１ｂ、２２ｂを囲むので、これらの連結構造を安定させる。
【００４８】
ベントホール２４は、二次電池１の内部圧力および発生したガスを排出できるように、ベントプレート２５で密閉される。二次電池１の内部圧力が設定圧力に達すると、ベントプレート２５が切開されてベントホール２４を開放する。ベントプレート２５は、切開を誘導する切欠２５ａを有する。
【００４９】
第１実施形態の二次電池１は、キャッププレート２０の長さ方向の両端部（以下、各端部をそれぞれ第１および第２キャッププレート側部といい、これらを合わせてキャッププレート側部という）と、キャッププレート２０がケース１５の開口に取り付けられたときにキャッププレート側部に隣接するケース１５の開口の一部であって互いに対向するケース１５の開口の一部（以下、ケース側部という。また、第１および第２キャッププレート側部に隣接するケース側部を、それぞれ第１および第２ケース側部という）との間に、接触領域または段差部を有する（以下、第１のキャッププレート側部と第１のケース側部との間に形成される接触領域または段差部を第１接触領域、第２のキャッププレート側部と第２のケース側部との間に形成される接触領域または段差部を第２接触領域という）。第１および第２ケース側部は、それぞれ第１および第２接触領域で第１および第２キャッププレート側部に対向し接触する。第１および第２接触領域は、互いに非対称に形成され、ケース１５の開口にキャッププレート２０を取り付ける際、ケース１５の開口でキャッププレート２０の取り付けを誘導し、開口にキャッププレート２０が過挿入されるのを防止することができる。
【００５０】
例えば、上記の接触領域または段差部は、キャッププレート２０の外側面のうちの一部に対応してケース１５の開口の内側面に形成されてよく、ケース１５の開口の内側面のうちの一部に対応してキャッププレート２０の外側面に形成されてよい。また、上記の接触領域または段差部は、ケース１５の開口の内側面の一部およびキャッププレート２０の外側面の一部に、互いに対応するように形成されてよい。
【００５１】
上記の接触領域または段差部は、ｘ軸方向、一例として、キャッププレート２０の長さ方向に沿って、両側にそれぞれ配置され、反対側で互いに非対称に形成される。例えば、接触領域または段差部は、ケース１５の開口の内側面の一部とキャッププレート２０の外側面の一部に、少なくとも傾斜面や突起として形成されてよい。
【００５２】
図３は、図１に示された二次電池におけるケースとキャッププレートの分解斜視図であり、図４は、図３のＩＶ−ＩＶ線断面図である。図３および図４を参照すれば、ケース１５は、開口の長辺側面１５１、１５２および短辺側面１５３、１５４を有する直方体に形成され、キャッププレート２０は、開口に対応して長辺２０１、２０２および短辺２０３、２０４を有する四角形に形成される。
【００５３】
第１実施形態において、段差部７０は、ケース１５の開口に形成され、第１電極端子２１側開口の短辺側面１５３に形成される第１傾斜部７１と、第２電極端子２２側開口の短辺側面１５４に形成される第２傾斜部７２とを含む。第１および第２傾斜部７１、７２は、開口でキャッププレート２０の取り付けを誘導する。
【００５４】
第１および第２傾斜部７１、７２を有するケース１５の開口にキャッププレート２０を取り付けると、キャッププレート２０の短辺２０３、２０４は、変形しながら第１および第２傾斜部７１、７２に締まり嵌めで結合される。このとき、キャッププレート２０には、段差部７０に対応する対応傾斜部が形成される。
【００５５】
即ち、段差部７０は、第１傾斜部７１に対応してキャッププレート２０の短辺２０３の外側面に形成される第１対応傾斜部７３と、第２傾斜部７２に対応してキャッププレート２０の短辺２０４の外側面に形成される第２対応傾斜部７４とをさらに含む。第１および第２対応傾斜部７３、７４は、第１および第２傾斜部７１、７２によってキャッププレート２０の短辺２０３、２０４が変形することにより形成される。
【００５６】
キャッププレート２０のケース１５の内部に向く側の面と平行な平面（以下、内側平面という）を基準とするとき、第１傾斜部７１の第１傾斜角θ１は、第２傾斜部７２の第２傾斜角θ２より小さく設定される。即ち、第１および第２傾斜部７１、７２は、互いに非対称に形成される。非対称の第１および第２傾斜部７１、７２は、取り付けられるキャッププレート２０の過挿入を防止する。
【００５７】
ケース１５は、互いに対応する第１傾斜部７１および第１対応傾斜部７３の外側に、キャッププレート２０のケース１５の内部に向く側と反対側の面（以下、外面という）に対応して形成される第１平面部７５と、互いに対応する第２傾斜部７２および第２対応傾斜部７４の外側に、キャッププレート２０の外面に対応して形成される第２平面部７６とをさらに含む。
【００５８】
ケース１５において、短辺側面１５３、１５４の厚さｔは、互いに同一である。したがって、一側の短辺側面１５３における第１傾斜部７１の第１厚さｔ１１は、他側の短辺側面１５４における第２傾斜部７２の第２厚さｔ２１より大きく設定され、第１平面部７５の第１幅ｔ１２は、第２平面部７６の第２幅ｔ２２より小さく設定される。
【００５９】
例えば、負極１１は、銅で形成され、正極１２は、アルミニウムで形成されてよい。したがって、比重の大きい負極１１の無地部１１ｂ側に連結される第１電極端子２１側が、正極１２の無地部１２ｂ側に連結される第２電極端子２２側よりも重い。
【００６０】
したがって、電極アセンブリ１０をキャッププレート２０に連結した状態で電極アセンブリ１０をケース１５の開口に挿入すると、キャッププレート２０は、傾斜しながら第２電極端子２２側よりも第１電極端子２１側でケース１５の内部にさらに挿入しようとする力を受けることになる。これによって、キャッププレート２０の一側が開口に過挿入されることがある。
【００６１】
これを防止するために、第１傾斜部７１は、第２傾斜部７２よりも緩やかに形成され、キャッププレート２０が容易に取り付けられるように、第１電極端子２１側マージンを第２電極端子２２側マージンよりも大きく確保する。
【００６２】
したがって、キャッププレート２０の短辺２０３がケース１５の内部に過挿入されず、少なくとも第１傾斜部７１に設置できる。このとき、キャッププレート２０の短辺２０４は、第２傾斜部７２に設置される。即ち、キャッププレート２０は、ケース１５に過挿入されない。
【００６３】
以下、本発明の多様な実施形態について説明する。第１実施形態およびすでに説明された実施形態と同一の構成を省略し、互いに異なる構成を説明する。
【００６４】
図５は、本発明の第２実施形態にかかる二次電池の断面図である。図５を参照すれば、第２実施形態の二次電池２において、段差部２７０は、ケース２１５の開口に形成され、第１電極端子２１側開口の短辺側面２５３に形成される傾斜部２７１と、第２電極端子２２側の短辺側面２５４に形成される階段部２７２とを含む。傾斜部２７１と階段部２７２は、開口でキャッププレート２２０の取り付けを誘導する。
【００６５】
傾斜部２７１と階段部２７２とを有するケース２１５の開口にキャッププレート２２０を取り付けると、キャッププレート２２０の短辺２２３、２２４は、変形しながら第１および第２傾斜部２７１、２７２に締まり嵌めで結合される。このとき、キャッププレート２２０には、段差部２７０に対応する対応傾斜部が形成される。
【００６６】
即ち、段差部２７０は、傾斜部２７１に対応してキャッププレート２２０の外側面に形成される対応傾斜部２７３と、階段部２７２に対応してキャッププレート２２０の外側面に形成される対応端部２７４とをさらに含む。対応傾斜部２７３および対応端部２７４は、第１および第２傾斜部２７１、２７２によってキャッププレート２２０の短辺２２３、２２４が変形することにより形成される。
【００６７】
電極アセンブリ１０をキャッププレート２２０に連結した状態で電極アセンブリ１０をケース２１５の開口に挿入すると、キャッププレート２２０は、傾斜しながら第２電極端子２２側よりも第１電極端子２１側でケース２１５の内部にさらに挿入しようとする力を受けることになる。これによって、キャッププレート２２０の一側が開口に過挿入されることがある。
【００６８】
これを防止するために、傾斜部２７１は、階段部２７２よりも緩やかに形成され、キャッププレート２２０が容易に取り付けられるように、第１電極端子２１側マージンを第２電極端子２２側マージンよりも大きく確保する。
【００６９】
したがって、キャッププレート２２０の短辺２２３がケース２１５の内部に過挿入されず、少なくとも傾斜部２７１に設置できる。このとき、キャッププレート２２０の短辺２２４は、対応端部２７４に設置される。即ち、キャッププレート２２０は、ケース２１５に過挿入されない。
【００７０】
図６は、本発明の第３実施形態にかかる二次電池におけるケースとキャッププレートの分解斜視図であり、図７は、図６のＶＩＩ−ＶＩＩ線断面図である。図６および図７を参照すれば、第３実施形態の二次電池３において、段差部３７０は、ケース３１５に形成され、第１電極端子２１側開口の短辺側面３５３に形成される第１突起部３７１と、第２電極端子２２側の短辺側面３５４に形成される第２突起部３７２とを含む。第１および第２突起部３７１、３７２は、開口でキャッププレート３２０の取り付けを誘導する。
【００７１】
第１および第２突起部３７１、３７２を有するケース３１５の開口にキャッププレート３２０を設けると、キャッププレート３２０の短辺３２３、３２４は、変形しながら第１および第２突起部３７１、３７２に締まり嵌めで結合される。このとき、キャッププレート３２０には、段差部３７０に対応する対応溝部が形成される。
【００７２】
即ち、段差部３７０は、第１突起部３７１に対応してキャッププレート３２０の外側面に形成される第１対応溝部３７３と、第２突起部３７２に対応してキャッププレート３２０の外側面に形成される第２対応溝部３７４とをさらに含む。第１および第２対応溝部３７３、３７４は、第１および第２突起部３７１、３７２によってキャッププレート３２０の短辺３２３、３２４が変形することにより形成される。
【００７３】
電極アセンブリ１０をキャッププレート３２０に連結した状態で電極アセンブリ１０をケース３１５の開口に挿入すると、キャッププレート３２０は、傾斜しながら第２電極端子２２側よりも第１電極端子２１側でケース３１５の内部にさらに挿入しようとする力を受けることになる。これによって、キャッププレート３２０の一側が開口に過挿入されることがある。
【００７４】
これを防止するために、キャッププレート３２０の内側平面を基準とするとき、第１突起部３７１の第１突出大きさＰ１は、第２突起部３７２の第２突出大きさＰ２より大きく設定される。即ち、第１および第２突起部３７１、３７２は、互いに非対称に形成される。非対称の第１および第２突起部３７１、３７２は、取り付けられるキャッププレート３２０の過挿入を防止する。
【００７５】
即ち、第１突出大きさＰ１が第２突出大きさＰ２より大きく形成され、キャッププレート３２０が容易に取り付けられるように、第１電極端子２１側マージンを第２電極端子２２側マージンよりも大きく確保する。
【００７６】
図８は、本発明の第４実施形態にかかる二次電池におけるケースとキャッププレートの分解斜視図であり、図９は、図８のＩＸ−ＩＸ線断面図である。図８および図９を参照すれば、第４実施形態の二次電池４において、段差部４７０は、キャッププレート４２０に形成され、第１電極端子２１側の短辺４２３の外側面に形成される第１突起部４７１と、第２電極端子２２側の短辺４２４の外側面に形成される第２突起部４７２とを含む。第１および第２突起部４７１、４７２は、開口でキャッププレート４２０の取り付けを誘導する。
【００７７】
第１および第２突起部４７１、４７２を有するキャッププレート４２０をケース４１５の開口に設けると、ケース４１５の短辺側面４５３、４５４は、変形しながら第１および第２突起部４７１、４７２に締まり嵌めで結合される。このとき、ケース４１５には、段差部４７０に対応する対応溝部が形成される。
【００７８】
即ち、段差部４７０は、第１突起部４７１に対応してケース４１５の短辺側面４５３に形成される第１対応溝部４７３と、第２突起部４７２に対応してケース４１５の短辺側面４５４に形成される第２対応溝部４７４とをさらに含む。第１および第２対応溝部４７３、４７４は、第１および第２突起部４７１、４７２によってケース４１５の短辺側面４５３、４５４が変形することにより形成される。
【００７９】
電極アセンブリ１０をキャッププレート４２０に連結した状態で電極アセンブリ１０をケース４１５の開口に挿入すると、キャッププレート４２０は、傾斜しながら第２電極端子２２側よりも第１電極端子２１側でケース４１５の内部にさらに挿入しようとする力を受けることになる。これによって、キャッププレート４２０の一側が開口に過挿入されることがある。
【００８０】
これを防止するために、ケース４１５の短辺側面４５３を基準として、第１突起部４７１の第１突出大きさＰ２１は、第２突起部４７２の第２突出大きさＰ２２より大きく設定される。即ち、第１および第２突起部４７１、４７２は、互いに非対称に形成される。非対称の第１および第２突起部４７１、４７２は、取り付けられるキャッププレート４２０の過挿入を防止する。
【００８１】
即ち、第１突出大きさＰ２１が第２突出大きさＰ２２より大きく形成され、キャッププレート４２０が容易に取り付けられるように、第１電極端子２１側マージンを第２電極端子２２側マージンよりも大きく確保する。
【００８２】
図１０は、本発明の第５実施形態にかかる二次電池におけるケースとキャッププレートの分解斜視図であり、図１１は、図１０のＸＩ−ＸＩ線断面図である。
【００８３】
図１０および図１１を参照すれば、第５実施形態の二次電池５において、段差部５７０は、第４実施形態の第１および第２突起部４７１、４７２と、第１突起部４７１に対応してケース５１５の短辺側面５５３に形成される第１対応傾斜部５７３と、第２突起部４７２に対応してケース５１５の短辺側面５５４に形成される第２対応傾斜部５７４とを含む。
【００８４】
第１および第２突起部４７１、４７２ならびに第１および第２対応傾斜部５７３、５７４は、開口でキャッププレート４２０の取り付けを誘導する。
【００８５】
電極アセンブリ１０をキャッププレート４２０に連結した状態で電極アセンブリ１０をケース５１５の開口に挿入すると、キャッププレート４２０は、傾斜しながら第２電極端子２２側よりも第１電極端子２１側でケース５１５の内部にさらに挿入しようとする力を受けることになる。これによって、キャッププレート４２０の一側が開口に過挿入されることがある。
【００８６】
これを防止するために、キャッププレート４２０の内側平面を基準とするとき、第１突起部４７１の第１突出大きさＰ２１は、第２突起部４７２の第２突出大きさＰ２２より大きく設定される。キャッププレート４２０の内側平面を基準とするとき、第１対応傾斜部５７３の第１傾斜角θ５１は、第２対応傾斜部５７４の第２傾斜角θ５２より小さく設定される。
【００８７】
即ち、第１および第２突起部４７１、４７２は、互いに非対称に形成され、第１および第２対応傾斜部５７３、５７４は、第１および第２突起部４７１、４７２に対応して互いに非対称に形成される。非対称の第１および第２突起部４７１、４７２と第１および第２対応傾斜部５７３、５７４は、取り付けられるキャッププレート４２０の過挿入を防止する。
【００８８】
即ち、第１突出大きさＰ２１が第２突出大きさＰ２２より大きく形成され、キャッププレート４２０が容易に取り付けられるように、第１電極端子２１側マージンを第２電極端子２２側マージンよりも大きく確保する。
【００８９】
図１２は、本発明の第６実施形態にかかる二次電池におけるケースとキャッププレートの分解斜視図であり、図１３は、図１２のＸＩＩＩ−ＸＩＩＩ線断面図である。
【００９０】
図１２および図１３を参照すれば、第６実施形態の二次電池６において、段差部６７０は、第４実施形態のキャッププレート４２０に形成された第１および第２突起部４７１、４７２と、第１突起部４７１に対応してケース６１５の短辺側面６５３に形成される第１対応突起部６７１と、第２突起部４７２に対応してケース６１５の短辺側面６５４に形成される第２対応突起部６７２とを含む。
【００９１】
第１および第２突起部４７１、４７２と第１および第２対応傾斜部６７１、６７２は、開口でキャッププレート４２０の取り付けを誘導する。
【００９２】
電極アセンブリ１０をキャッププレート４２０に連結した状態で電極アセンブリ１０をケース６１５の開口に挿入すると、キャッププレート４２０は、傾斜しながら第２電極端子２２側よりも第１電極端子２１側でケース６１５の内部にさらに挿入しようとする力を受けることになる。これによって、キャッププレート４２０の一側が開口に過挿入されることがある。
【００９３】
これを防止するために、キャッププレート４２０の内側平面を基準とするとき、第１突起部４７１の第１突出大きさＰ２１は、第２突起部４７２の第２突出大きさＰ２２より大きく設定される。第１および第２対応傾斜部６７１、６７２は、互いに同じ突出大きさを有する。
【００９４】
即ち、第１および第２突起部４７１、４７２は、互いに非対称に形成される。非対称の第１および第２突起部４７１、４７２は、取り付けられるキャッププレート４２０の過挿入を防止する。
【００９５】
即ち、第１突出大きさＰ２１が第２突出大きさＰ２２より大きく形成され、キャッププレート４２０が容易に取り付けられるように、第１電極端子２１側の取り付けマージンを第２電極端子２２側の取り付けマージンよりも大きく確保する。
【００９６】
以上、本発明の好ましい実施形態について説明したが、本発明は、これに限定されるものではなく、特許請求の範囲と発明の詳細な説明および添付した図面の範囲内で多様に変形して実施することが可能であり、これも本発明の範囲に属することは当然である。
【符号の説明】
【００９７】
１、２、３、４、５、６  二次電池
１０  電極アセンブリ
１１、１２  負極、正極
１３  セパレータ
１５、２１５、３１５、４１５、５１５、６１５  ケース
２０、２２０、３２０、４２０  キャッププレート
２１、２２  電極端子
２４  ベントホール
２５  ベントプレート
３１、６１、６２  絶縁部材
３６、３７  ガスケット
４６  トッププレート
５１、５２  リードタブ
７０、２７０、３７０、４７０、５７０、６７０  段差部
７１、２７１、３７１  第１傾斜部
７２、２７２、３７２  第２傾斜部
７３、５７３  第１対応傾斜部
７４、５７４  第２対応傾斜部
７５、７６  第１、第２平面部
１１ａ、１２ａ  コーティング部
１１ｂ、１２ｂ  無地部
２１ａ、２２ａ  リベットターミナル
２１ｂ、２２ｂ  フランジ
２１ｃ、２２ｃ  プレートターミナル
２５ａ  切欠
１５１、１５２  長辺側面
１５３、１５４、２５３、２５４、３５３、３５４、４５３、４５４、５５３、５５４、６５３、６５４  短辺側面
２０１、２０２  長辺
２０３、２０４、２２３、２２４、３２３、３２４、４２３、４２４  短辺
２７１  傾斜部
２７２  階段部
２７３  対応傾斜部
２７４  対応端部
３７１、４７１  第１突起部
３７２、４７２  第２突起部
３７３、４７３  第１対応溝部
３７４、４７４  第２対応溝部
６７１、６７２  第１、第２対応突起部
Ｈ１、Ｈ２  端子ホール
Ｈ３、Ｈ４  貫通ホール
Ｐ１、Ｐ２  第１、第２突出大きさ
ｔ  厚さ
ｔ１１、ｔ１２  第１、第２厚さ
ｔ２１、ｔ２２  第１、第２幅
θ１、θ５１  第１傾斜角
θ２、θ５２  第２傾斜角
【図１】
2015018810.tif 000003
【図２】
2015018810.tif 000004
【図３】
2015018810.tif 000005
【図４】
2015018810.tif 000006
【図５】
2015018810.tif 000007
【図６】
2015018810.tif 000008
【図７】
2015018810.tif 000009
【図８】
2015018810.tif 000010
【図９】
2015018810.tif 000011
【図１０】
2015018810.tif 000012
【図１１】
2015018810.tif 000013
【図１２】
2015018810.tif 000014
【図１３】
2015018810.tif 000015